(57)【要約】【課題】  １組の補助光発光部を設けて、複数の撮影光学系による撮影に際して補助光として発光することを可能としたカメラ付き携帯電話。【解決手段】  補助光発光部２０は照射方向を可動とし、可動とした照射方向には複数の撮影レンズ１０Ａ、１０Ｂによる撮影方向を含む構成とする。【選択図】        図１
2005086395.tif 000002
【特許請求の範囲】
【請求項１】
複数の撮影光学系を設けたカメラ付き携帯電話機において、
撮影補助を行う補助光発光部を有していて、
該補助光発光部の照射方向が可動となっていることを特徴とするカメラ付き携帯電話機。
【請求項２】
前記補助光発光部の可動とした照射方向には、前記複数の撮影光学系の撮影方向を含むことを特徴とする請求項１に記載のカメラ付き携帯電話機。
【請求項３】
複数の撮影光学系を設けたカメラ付き携帯電話機において、
撮影補助を行う補助光発光部を有していて、該補助光発光部は複数方向への照射がなされる発光部を有していることを特徴とするカメラ付き携帯電話機。
【請求項４】
前記補助光発光部の照射方向には、前記複数の撮影光学系の撮影方向を含むことを特徴とする請求項３記載のカメラ付き携帯電話機。
【発明の詳細な説明】
【技術分野】
【０００１】
本発明はカメラによる撮影機能を付加した携帯電話機に係わり、特に補助光発光部を設けて撮影画像の向上を図ったカメラ付き携帯電話機に関する。
【背景技術】
【０００２】
携帯電話機はユーザの利便性を向上させる目的から多機能化が図られ、撮影光学系を取り付けたカメラ付き携帯電話機が提供されるようになった。そして、更にカメラとしての使用性を高める目的から、カメラを開閉可能とした筐体に取り付ける等の手段によってカメラが撮影する視野方向を変えることのできるカメラ付き携帯電話機の提案もなされている（例えば特許文献１参照）。また、かかる提案と併行してカメラ付き携帯電話機にあっては、一般の撮影に加えて携帯電話機を把握した状態でユーザ自身の画像も撮影したいことが多いこと等から、１台の携帯電話機に複数の撮影光学系を設けたカメラ付き携帯電話機も提供されるようになって来た。
【０００３】
一方、カメラで良画質の画像を得るには撮影時にストロボ等による補助光を用いることが有効であることから、カメラ付き携帯電話機についても補助光発光機能を付加したカメラ付き携帯電話機が提案され提供されるようになって来た。例えば補助光を発光するフラッシュ装置をカメラ付き携帯電話機に接続し、カメラ付き携帯電話機を用いて撮影する際、フラッシュ装置が発光する構成のものがある（例えば特許文献２参照）。また、カメラ付き携帯電話機に補助光発光装置であるストロボユニットを内蔵させ、該ストロボユニットをアンテナに一体的に取り付けることによって赤目現象を防止する提案もなされている（例えば特許文献３参照）。
【特許文献１】特開２００２−３５４０８２号公報
【特許文献２】特開２００２−３６８８６２号公報
【特許文献３】特開２００２−２３２５４４号公報
【発明の開示】
【発明が解決しようとする課題】
【０００４】
カメラで良画質の画像を得るには撮影時に補助光を用いることが有効であることは公知である。複数の撮影光学系を設けたカメラ付き携帯電話機においても、各撮影光学系で撮影した画像がそれぞれ良質であるためには、それぞれの撮影光学系に対応して補助光発光部を設けることが必要となる。しかし、複数の補助手発光部を設けることはコストアップとなる。
【０００５】
本発明は１組の補助光発光部を設けて、複数の撮影光学系による撮影に際して何れの撮影光学系に対しても補助光として発光することを可能としたカメラ付き携帯電話機を提供することを目的とする。
【課題を解決するための手段】
【０００６】
上記の課題を解決し、かつ目的を達成するために本発明は以下のように構成している。
【０００７】
請求項１記載の発明は、「複数の撮影光学系を設けたカメラ付き携帯電話機において、撮影補助を行う補助光発光部を有していて、
該補助光発光部の照射方向が可動となっていることを特徴とするカメラ付き携帯電話機。」である。
【０００８】
請求項２記載の発明は、「前記補助光発光部の可動とした照射方向には、前記複数の撮影光学系の撮影方向を含むことを特徴とする請求項１に記載のカメラ付き携帯電話機。」である
請求項３記載の発明は、「複数の撮影光学系を設けたカメラ付き携帯電話機において、
撮影補助を行う補助光発光部を有していて、
該補助光発光部は複数方向への照射がなされる発光部を有していることを特徴とするカメラ付き携帯電話機。」である。
【０００９】
請求項４記載の発明は、「前記補助光発光部の照射方向には、前記複数の撮影光学系の撮影方向を含むことを特徴とする請求項３記載のカメラ付き携帯電話機。」である。
【発明の効果】
【００１０】
請求項１，２記載の発明によるときは、補助光発光部を回転可能とした補助光取付部に設け、補助光取付部を使用しようとする撮影光学系の方に補助光発光部が位置するよう回転することができる構成としているので、１組の補助光発光部によって、複数の撮影光学系の何れに対しても補助光発光がなされて、良質の撮影画像が得られるカメラ付き携帯電話機が提供されることとなった。
【００１１】
請求項３，４記載の発明によるときは、多方向への照射がなされる補助光発光部の、使用する撮影光学系の撮影方向に照射方向があるよう設定することができる構成となっているので、１組の補助光発光部によって、複数の撮影光学系の何れに対しても有効な補助光発光がなされて、良質の撮影画像が得られるカメラ付き携帯電話機が提供されることとなった。
【発明を実施するための最良の形態】
【００１２】
図１，２に示すのは本発明の請求項１，２記載のカメラ付き携帯電話機の実施例である。図示したのは折り畳み式のカメラ付き携帯電話機である。但し本発明はかかる折り畳み式に限定されるものではなく、一体式であってもよい。
【００１３】
カメラ付き携帯電話機Ｔは上筐体ＴＡと下筐体ＴＢとより成りヒンジＴＣによって折り畳まれる構造となっている。上筐体ＴＡの上部には内側と外側にわたって設けられたキセノン管や白色ＬＥＤ等の補助光発光部２０を取り付けた補助光取付部２１が取り付けられている。
【００１４】
上筐体ＴＡの内側には撮影用の固定した内側に向っての撮影を可能とした内側撮影レンズ１０Ａと、表示画面３１が設けられている。表示画面３１は液晶ディスプレイで構成されていて、電話番号の表示、電池のエネルギー残量の有無、電波への受信状態の表示のほか、カメラ撮影モード時には被写体表示を行う。上筐体ＴＡの外側には外側に向けての撮影用の固定した外側撮影レンズ１０Ｂが設けられている。
【００１５】
また下側筐体ＴＢの内側には電話通信モード或いはカメラ撮影モード等のモード切り替えを行う操作部３２と、操作ボタン３３が設けられていて、下側筐体ＴＢの側面にはカメラ撮影用の撮影スイッチ１１が設けられている。カメラ撮影モードが設定されているときは、撮影スイッチ１１を押釦することによって、補助光発光部２０が発光し、撮影レンズ１０Ａ又は１０Ｂによっての撮影がなされる。
【００１６】
本実施形態は、片側の面に補助光発光部２０を設けた補助光取付部２１は回転可能となっていて、補助光取付部２１の回転方向は図２（ａ）に示すように上筐体ＴＡの縦軸に沿って回転する構成であっても、図２（ｂ）に示すように上筐体ＴＡの横軸に沿って回転する構成であってもよい。補助光発光部２０への電話機本体からの配線は回転軸を通して行われる。
【００１７】
補助光取付部２１は手動によって回転してクリック位置に停止し、クリックによる停止位置での補助光発光部２０の発光方向は内側撮影レンズ１０Ａ又は外側撮影レンズ１０Ｂの光軸に合致した位置となっている。回転軸には切替スイッチ３５（図５参照）がついていて、クリックによって停止した位置で補助光発光部２０が発光する側の撮影レンズ１０Ａ又は１０Ｂによって撮影がなされるよう作動する撮影レンズの電気回路の切り替えがなされる。なお、クリック位置以外の補助光取付部２１位置では補助光発光部２０への回路は断たれて撮影時にも発光しない。
【００１８】
図１（ａ）は内側に向けて補助光が発光し、内側撮影レンズ１０Ａによっての撮影を可能とした状態を示し、図１（ｂ）では補助光取付部２１を１８０°回転して補助光が外側に向けて発光し、外側撮影レンズ１０Ｂによっての撮影を可能とした状態を示している。
【００１９】
図３，４に示すのは本発明の請求項３，４記載のカメラ付き携帯電話機の実施例である。既に図１，２を用いて説明したと同一機能の部材については同一符号をもって表示し、説明を省略する。なお、図２は図１に示した上筐体ＴＡのＸ−Ｘ断面要図である。
【００２０】
本実施例においては、補助光発光部２００として円筒方向に広範に発光がなされる円筒状の発光部を有した例えばキセノン、白色ＬＥＤ等の発光部材を用い、補助光発光部２００は上筐体ＴＡ上部の内側面と外側面との中間位置に取り付けられていて、上筐体ＴＡの内側面及び外側面はそれぞれ透明樹脂部材を用いた光学カバー２０１Ａ、２０１Ｂをもって覆っている。光学カバー２０１Ａ、２０１Ｂは、それぞれ撮影レンズ１０Ａ、１０Ｂの焦点距離に対応して曲率を設定している。
【００２１】
上筐体ＴＡ上面には回動する摘み２０２が取り付けられていて、摘み２０２を回動することによって補助光発光部２００の背後に設けた反射鏡２０３は移動し、クリックによって摘み２０２が停止した位置では反射鏡２０３は補助光を内側方向又は外側方向に反射し、反射鏡２０３による反射方向は内側撮影レンズ１０Ａ又は外側撮影レンズ１０Ｂの光軸に合致した位置となっている。摘み２０２の回転軸には切替スイッチ３５（図５参照）がついていて、クリックによって停止した位置で反射鏡２０３によって反射する側の撮影レンズ１０Ａ又は１０Ｂによって撮影がなされるよう作動する撮影レンズの電気回路の切り替えがなされる。なおクリック位置以外の摘み２０２位置では補助発光部２００への回路は断たれて撮影時にも発光しない。
【００２２】
図３（ａ）は内側に向けて補助光が発光し、内側撮影レンズ１０Ａによって撮影を可能とした状態を示し、図３（ｂ）では反射鏡２０３を１８０°回転して補助光が外側に向けて発光し、外側撮影レンズ１０Ｂによっての撮影を可能とした状態を示している。
【００２３】
図５には本発明のカメラ付き携帯電話機Ｔの電気回路図を示している。機内には各種機能を実行するためのＣＰＵ等を用いた制御回路４０が搭載されている。制御回路４０は通信機能に伴う通信制御や撮影機能実行のための光学系駆動制御、撮影画像データの信号処理制御や記憶制御及び表示制御、補助光発光回路２の回路制御を実行する。
【００２４】
操作部３２によってカメラ撮影モードが設定されると、制御回路４０は撮影レンズ切替スイッチ３５によって選択された内側撮影レンズ１０Ａ又は外側撮影レンズ１０Ｂの結像位置に設けられた撮像素子（ＣＣＤ）を駆動させ、読み取られた画像データは電気信号に変換して制御回路４０内の処理回路へと取り込まれて画像メモリ４２内に記憶され、制御回路４０は画像メモリ４２内に記憶された画像データを順次読み出し、表示画面３１に画像表示が行われる。また、補助光発光回路２に発光用コンデンサ等が存在する場合には制御回路４０は補助光回路２に対して充電制御を行い、補助光発光の準備を行う。
【００２５】
制御回路４０は、撮影スイッチ１１が押下されたと判断すると、補助光発光部２０を発光させて被写体に補助光を照射し、撮影レンズ１０Ａ又は１０Ｂの撮像素子は補助光が照射された画像データを画像メモリ４２に記録するよう記録制御を行う。そして、画像メモリ４２への撮影画像データの記録制御が完了すると、制御回路４０は表示画面３１の表示を消灯させた後、カメラ撮影ルーチンを終了させて電話回路４１と接続し、電話通信モードにリターンする。
【図面の簡単な説明】
【００２６】
【図１】カメラ付き携帯電話機の外観図。
【図２】補助光取付部の回転方向を示す説明図。
【図３】カメラ付き携帯電話機の外観図。
【図４】補助光発光部の断面図。
【図５】カメラ付き携帯電話機の電気回路図。
【符号の説明】
【００２７】
１０Ａ  内側撮影レンズ
１０Ｂ  外側撮影レンズ
１１  撮影スイッチ
２０  補助光発光部
２１  補助光取付部
３１  表示画面
３２  操作部
３５  撮影レンズ切替スイッチ
４０  制御回路
４２  画像メモリ
２００  補助光発光部
２０２  摘み
２０３  反射鏡
【図１】
2005086395.tif 000003
【図２】
2005086395.tif 000004
【図３】
2005086395.tif 000005
【図４】
2005086395.tif 000006
【図５】
2005086395.tif 000007